【手続補正書】
【提出日】平成18年9月5日(2006.9.5)
【手続補正１】
【補正対象書類名】明細書
【補正対象項目名】発明の名称
【補正方法】変更
【補正の内容】
【発明の名称】画像の位置合わせの方法
【手続補正２】
【補正対象書類名】明細書
【補正対象項目名】特許請求の範囲
【補正方法】変更
【補正の内容】
【特許請求の範囲】
【請求項１】  第１の前縁と、平行な第１の後縁を有する第１の画像形成されたフィルムを提供する工程であって、前記第１の画像形成されたフィルムは、前記第１の前縁の近傍に、少なくとも１つの第１の画像形成されたフィルムの円形レジストレーションホールと、前記第１の後縁の近傍に、少なくとも１つの第１の画像形成されたフィルムの延伸されたレジストレーションホールとを規定し、前記少なくとも１つの第１の画像形成されたフィルムの延伸されたレジストレーションホールは前記第１の後縁に対して垂直な延伸方向を有する工程と；
転写前縁と、平行な転写後縁とを有する少なくとも１つの転写シートを提供する工程であって、前記少なくとも１つの転写シートは、前記転写前縁の近傍に少なくとも１つの転写円形レジストレーションホールと、前記転写後縁の近傍に少なくとも１つの転写延伸されたレジストレーションホールとを有し、前記第１の画像形成されたフィルムの円形レジストレーションホールの少なくとも１つを前記転写円形レジストレーションホールの少なくとも１つに整列したときに、前記第１の画像形成されたフィルムの延伸されたレジストレーションホールの少なくとも１つが前記転写延伸されたレジストレーションホールの少なくとも１つに整列できるようにする工程と；
前記第１の画像形成されたフィルムの円形レジストレーションホールの少なくとも１つを、前記転写円形レジストレーションホールの少なくとも１つに整列し、および前記第１の画像形成されたフィルムの延伸されたレジストレーションホールの少なくとも１つを前記転写延伸されたレジストレーションホールの少なくとも１つに整列するように、前記少なくとも１つの転写シート上に前記第１の画像形成されたフィルムを配置することにより、第１の複合要素を形成する工程であって、前記第１の複合要素は、前記第１の前縁に隣接する第１の複合前縁を有する工程と；
第２の前縁と、平行な第２の後縁とを有する少なくとも１つの第２の画像形成されたフィルムを提供する工程であって、前記第２の画像形成されたフィルムは、前記第２の前縁の近傍に少なくとも１つの第２の画像形成されたフィルムの円形レジストレーションホールと、前記第２の後縁の近傍に少なくとも１つの第２の画像形成されたフィルムの延伸されたレジストレーションホールとを規定し、前記少なくとも１つの第２の画像形成されたフィルムの延伸されたレジストレーションホールは前記第２の後縁に対して垂直な延伸方向を有する工程と；
前記第２の画像形成されたフィルムの円形レジストレーションホールの少なくとも１つを、前記第１の画像形成されたフィルムの円形レジストレーションホールの少なくとも１つと整列させ、および前記第２の画像形成されたフィルムの延伸されたレジストレーションホールを、前記第１の画像形成されたフィルムの延伸されたレジストレーションホールの少なくとも１つと少なくとも部分的に整列させるように、前記第１の複合要素上に前記第２の画像形成されたフィルムを配置することにより、第２の複合要素を形成する工程であって、前記第２の複合要素は前記第１の前縁に隣接する第２の複合前縁を有する工程と
を具えたことを特徴とする少なくとも２つの画像形成されたフィルムを位置合わせする方法。
【手続補正３】
【補正対象書類名】明細書
【補正対象項目名】００３７
【補正方法】変更
【補正の内容】
【００３７】
もちろん、前記の好ましい実施の形態に対して、広範な変更および修正をなすことができることは理解されるべきである。したがって、前記の詳細な記載は、制限するものよりむしろ例示であると見なされること、および本発明の範囲を規定することを意図するものは、全ての等価物を含む本発明の請求項であることを理解されることを、意図している。
以下に、本発明の好ましい態様を示す。
［１］  第１の前縁と、平行な第１の後縁を有する第１の画像形成されたフィルムを提供する工程であって、前記第１の画像形成されたフィルムは、前記第１の前縁の近傍に、少なくとも１つの第１の画像形成されたフィルムの円形レジストレーションホールと、前記第１の後縁の近傍に、少なくとも１つの第１の画像形成されたフィルムの延伸されたレジストレーションホールとを規定し、前記少なくとも１つの第１の画像形成されたフィルムの延伸されたレジストレーションホールは前記第１の後縁に対して垂直な延伸方向を有する工程と；
転写前縁と、平行な転写後縁とを有する少なくとも１つの転写シートを提供する工程であって、前記少なくとも１つの転写シートは、前記転写前縁の近傍に少なくとも１つの転写円形レジストレーションホールと、前記転写後縁の近傍に少なくとも１つの転写延伸されたレジストレーションホールとを有し、前記第１の画像形成されたフィルムの円形レジストレーションホールの少なくとも１つを前記転写円形レジストレーションホールの少なくとも１つに整列したときに、前記第１の画像形成されたフィルムの延伸されたレジストレーションホールの少なくとも１つが前記転写延伸されたレジストレーションホールの少なくとも１つに整列できるようにする工程と；
前記第１の画像形成されたフィルムの円形レジストレーションホールの少なくとも１つを、前記転写円形レジストレーションホールの少なくとも１つに整列し、および前記第１の画像形成されたフィルムの延伸されたレジストレーションホールの少なくとも１つを前記転写延伸されたレジストレーションホールの少なくとも１つに整列するように、前記少なくとも１つの転写シート上に前記第１の画像形成されたフィルムを配置することにより、第１の複合要素を形成する工程であって、前記第１の複合要素は、前記第１の前縁に隣接する第１の複合前縁を有する工程と；
第２の前縁と、平行な第２の後縁とを有する少なくとも１つの第２の画像形成されたフィルムを提供する工程であって、前記第２の画像形成されたフィルムは、前記第２の前縁の近傍に少なくとも１つの第２の画像形成されたフィルムの円形レジストレーションホールと、前記第２の後縁の近傍に少なくとも１つの第２の画像形成されたフィルムの延伸されたレジストレーションホールとを規定し、前記少なくとも１つの第２の画像形成されたフィルムの延伸されたレジストレーションホールは前記第２の後縁に対して垂直な延伸方向を有する工程と；
前記第２の画像形成されたフィルムの円形レジストレーションホールの少なくとも１つを、前記第１の画像形成されたフィルムの円形レジストレーションホールの少なくとも１つと整列させ、および前記第２の画像形成されたフィルムの延伸されたレジストレーションホールを、前記第１の画像形成されたフィルムの延伸されたレジストレーションホールの少なくとも１つと少なくとも部分的に整列させるように、前記第１の複合要素上に前記第２の画像形成されたフィルムを配置することにより、第２の複合要素を形成する工程であって、前記第２の複合要素は前記第１の前縁に隣接する第２の複合前縁を有する工程と
を具えたことを特徴とする少なくとも２つの画像形成されたフィルムを位置合わせする方法。
［２］  複数の加工物の整列のための画像制御板であって、前記画像制御板は、上部表面、板前縁、平行な板後縁、および前記板前縁に対して垂直な板側縁、およびレジストレーションピンポジションの少なくとも３つの配列を具え：
第１の配列は板前縁の近傍にあり、前記第１の配列は、少なくとも１つの第１の前縁レジストレーションピンポジションと少なくとも１つの第２の前縁レジストレーションピンポジションとを含み、前記第１の前縁レジストレーションピンポジションは前記板側縁から第１の距離に配設され、前記第２の前縁レジストレーションピンポジションは前記板側縁から第２の距離に配設され、前記第１の距離は、前記第２の距離とは異なり；
第２の配列は板後縁の近傍にあり、前記第２の配列は、少なくとも１つの第１の後縁レジストレーションピンポジションと少なくとも１つの第２の後縁レジストレーションピンポジションとを含み、前記第１の後縁レジストレーションピンポジションは前記板側縁から前記第１の距離を有し、前記第２の後縁レジストレーションピンポジションは前記板側縁から前記第２の距離を有し；および
第３の配列は板側縁の近傍にあり、前記第３の配列は、少なくとも１つの位置決定レジストレーションピンポジションと少なくとも１つの縁レジストレーションピンポジションとを含む
ことを特徴とする画像制御板。